(57)【要約】      （修正有）【課題】ＧＰＳ装置を使用せずさらに基地局と接続されていない状態において携帯電話端末の位置を管理することができる位置情報管理システムを提供する。【解決手段】第２のコアネットワーク装置は、第１のコアネットワーク装置によって送信された、端末装置の位置情報の報告間隔を示す情報を受信し、端末装置の位置情報を検知し、検知した端末装置の位置情報を、前記報告間隔をあけて第１のコアネットワーク装置へ報告する。端末装置の位置情報の報告間隔を示す情報は、外部サーバから第１のコアネットワーク装置に送信された、端末装置の位置情報要求メッセージに含まれる。【選択図】図７
2018061274.tif 000002
【特許請求の範囲】
【請求項１】
少なくとも１つのメモリと、
前記少なくとも１つのメモリに結合された少なくとも１つのプロセッサと、
を備える第２のコアネットワーク装置であって、
前記少なくとも１つのプロセッサは、
第１のコアネットワーク装置によって送信された、端末装置の位置情報の報告間隔を示す情報を受信するよう構成され、
前記報告間隔をあけて前記端末装置の位置情報を前記第１のコアネットワーク装置へ報告するよう構成された、第２のコアネットワーク装置。
【請求項２】
前記少なくとも１つのプロセッサは、
前記報告間隔を示す情報を、外部サーバから前記第１のコアネットワーク装置を経由して受信するよう構成された、請求項１記載の第２のコアネットワーク装置。
【請求項３】
前記報告間隔を示す情報は、外部サーバから送信された前記端末装置の位置情報要求メッセージに含まれる、請求項１または２に記載の第２のコアネットワーク装置。
【請求項４】
前記少なくとも１つのプロセッサは、
前記第１のコアネットワーク装置を経由して外部サーバへ、前記報告間隔をあけて前記端末装置の前記位置情報を報告するよう構成された、請求項１乃至３のいずれか１項に記載の第２のコアネットワーク装置。
【請求項５】
前記少なくとも１つのプロセッサは、
前記端末装置の位置情報を検知するよう構成され、
検知した前記端末装置の前記位置情報を、前記報告間隔をあけて報告するよう構成された、請求項１乃至４のいずれか１項に記載の第２のコアネットワーク装置。
【請求項６】
前記少なくとも１つのプロセッサは、
前記報告間隔を示す情報を受信した後、前記端末装置の位置情報の検知を開始するよう構成された、請求項１乃至５のいずれか１項に記載の第２のコアネットワーク装置。
【請求項７】
前記少なくとも１つのプロセッサは、
ｅＮＢ（ｅＮｏｄｅＢ）から前記端末装置の位置情報を受信するよう構成され、
前記ｅＮＢから受信した前記位置情報に基づいて前記端末装置の位置情報を検知するよう構成され、
検知した前記端末装置の前記位置情報を、前記報告間隔をあけて報告するよう構成された、請求項１乃至６のいずれか１項に記載の第２のコアネットワーク装置。
【請求項８】
前記少なくとも１つのプロセッサは、
ｅＮＢから前記端末装置の位置情報を受信するよう構成され、
前記ｅＮＢから受信した前記位置情報に基づいて前記端末装置の移動を検知するよう構成され、
移動を検知した前記端末装置の位置情報を、前記報告間隔をあけて報告するよう構成された、請求項１乃至７のいずれか１項に記載の第２のコアネットワーク装置。
【請求項９】
前記少なくとも１つのプロセッサは、
前記端末装置の位置情報を少なくとも第１のタイミングと第２のタイミングで検知するよう構成され、
前記第１のタイミングから前記報告間隔をあけて、前記第２のタイミングで検知した前記端末装置の位置情報を報告するよう構成された、請求項１乃至８のいずれか１項に記載の第２のコアネットワーク装置。
【請求項１０】
前記位置情報は、ｅＮＢに関する情報である、請求項１乃至９のいずれか１項に記載の第２のコアネットワーク装置。
【請求項１１】
少なくとも１つのメモリと、
前記少なくとも１つのメモリに結合された少なくとも１つのプロセッサと、
を備える第１のコアネットワーク装置であって、
前記少なくとも１つのプロセッサは、
端末装置の位置情報の報告間隔を示す情報を第２のコアネットワーク装置へ送信するよう構成され、
前記報告間隔をあけて前記端末装置の位置情報を第２のコアネットワーク装置から受信するよう構成された、第１のコアネットワーク装置。
【請求項１２】
前記少なくとも１つのプロセッサは、
外部サーバから送信された前記報告間隔を示す情報を、前記第２のコアネットワーク装置へ送信するよう構成された、請求項１１記載の第１のコアネットワーク装置。
【請求項１３】
前記端末装置の位置情報は、
前記第１のコアネットワーク装置を経由して外部サーバへ、前記報告間隔をあけて報告される、請求項１１または１２に記載の第１のコアネットワーク装置。
【請求項１４】
前記第２のコアネットワーク装置によって前記端末装置の移動が検知され、
前記少なくとも１つのプロセッサは、
移動が検知された前記端末装置の前記位置情報を、前記報告間隔をあけて前記第２のコアネットワーク装置から受信するよう構成された、請求項１１乃至１３のいずれか１項に記載の第１のコアネットワーク装置。
【請求項１５】
前記端末装置の位置情報は少なくとも第１のタイミングと第２のタイミングで検知され、
前記少なくとも１つのプロセッサは、
前記第１のタイミングから前記報告間隔をあけて、前記第２のタイミングで検知された前記端末装置の位置情報を受信するよう構成された、請求項１１乃至１４のいずれか１項に記載の第１のコアネットワーク装置。
【発明の詳細な説明】
【技術分野】
【０００１】
本発明は位置情報管理システム、移動局、サービス管理サーバ、移動検知方法及びプログラムに関する。
【背景技術】
【０００２】
近年携帯電話が急速に普及し、一人が複数の携帯電話を保有する場合もある。また、携帯電話を人が保有する以外にも、ペットに通信機能を有するチップ等を取り付けるもしくはマシン装置等に通信機能を搭載して、ペットもしくはマシン装置等と通信を行うことも検討されている。このようにして人、ペット及び装置等のあらゆるものを移動通信網を介して管理することができるようになると、例えば、移動通信網を介して人、ペット及び装置等の位置を監視することも可能となる。
【０００３】
ここで、携帯電話等の位置を管理するために様々な手法が検討されている。例えば、携帯電話等にＧＰＳ装置を搭載し、携帯電話等の位置をＧＰＳ情報を用いて管理することが実施されている。例えば、非特許文献１には、衛星からの電波を用いて地上で三角測量を行うことで、緯度、経度、高度情報を得る測位システムが開示されている。さらに、携帯電話等は、移動通信網を利用する際に近くの基地局に接続される。基地局は、一般的に数百メートルから数キロメートル間隔で配置されている。そのため、携帯電話が通信している基地局、つまり携帯電話が接続されている基地局を特定することにより、携帯電話のおおよその位置を特定することができる。例えば、非特許文献２には、複数の基地局において携帯電話の方角を測定し、測定した方角から携帯電話の位置を計測することが開示されている。
【先行技術文献】
【非特許文献】
【０００４】
【非特許文献１】ＧＰＳ技術の展望，安田 明生，電子情報通信学会論文誌. B, 通信 J84-B(12), 2082-2091, 2001-12-01 一般社団法人電子情報通信学会
【非特許文献２】RADDCOMM Wireless Consulting Services, "Location Methods for E-911 Phase II
【発明の概要】
【発明が解決しようとする課題】
【０００５】
しかし、ＧＰＳ装置を用いて携帯電話等の位置情報を管理する場合、ＧＰＳ機能を搭載することにより携帯電話等のコストが増加するという問題がある。また、回路規模の増大等の問題により組み込み用通信モジュールにはＧＰＳ機能を搭載することが困難であるという問題もある。
【０００６】
さらに、携帯電話が接続されている基地局を特定して携帯電話の位置を管理するには、携帯電話が常に基地局に接続されている必要がある。つまり、携帯電話が基地局に接続されていない場合には、携帯電話が在圏するセルを管理する基地局を特定することができないため、携帯電話の位置を推定することができないという問題がある。一般的に、携帯電話は、移動通信網を介して通信を行う場合に基地局に接続される。つまり、待ち受け状態等であって通信を行わない状況である場合には、基地局と接続されていない。
【０００７】
本発明はこのような問題のうち少なくとも１つを解決するためになされたものであり、ＧＰＳ装置を使用せずさらに基地局と接続されていない状態において携帯電話端末の位置を管理することができる位置情報管理システム、移動局、サービス管理サーバ、移動検知方法及びプログラムを提供することを目的とする。
【課題を解決するための手段】
【０００８】
本発明の第１の態様にかかる位置情報管理システムは、移動通信網内に在圏する移動局と、外部通信網内に配置されたサービス提供サーバから、前記移動局の移動を検知する移動検知依頼を受信した後に、前記移動局が移動した際に前記移動局の移動を検知したことを前記サービス提供サーバへ通知するサービス管理サーバと、を備え、前記移動局は、前記移動局が在圏するエリアを形成する基地局から、前記エリア内に在圏する全ての移動局に対して定期的に送信される情報に含まれる第１のエリア情報を受信した後に、前記第１のエリア情報と異なる第２のエリア情報を受信した際に、自局が移動したことを検知し、前記自局の移動検知を前記サービス管理サーバへ通知するものである。
【０００９】
本発明の第２の態様にかかる移動局は、通信エリアを形成する基地局から、前記通信エリア内に在圏する全ての移動局に対して定期的に送信される情報に含まれる第１のエリア情報を受信した後に、前記第１のエリア情報と異なる第２のエリア情報を受信した際に、自局が移動したことを検知するエリア情報監視部と、前記自局の移動検知を、外部通信網内に配置されたサービス提供サーバと通信を行うサービス管理サーバへ通知する通信部と、を備えるものである。
【００１０】
本発明の第３の態様にかかるサービス管理サーバは、移動局が在圏するエリアを形成する基地局から、前記エリア内に在圏する全ての移動局に対して定期的に送信される情報に含まれる第１のエリア情報を受信した後に、前記第１のエリア情報と異なる第２のエリア情報を受信した際に、自局が移動したことを検知する移動局から、移動検知通知を受信する第１の通信部と、前記移動検知通知を外部通信網内に配置されたサービス提供サーバへ送信する第２の通信部と、を備えるものである。
【００１１】
本発明の第４の態様にかかる移動検知方法は、通信エリアを形成する基地局から、前記通信エリア内に在圏する全ての移動局に対して定期的に送信される情報に含まれる第１のエリア情報を受信した後に、前記第１のエリア情報と異なる第２のエリア情報を受信した際に、自局が移動したことを検知し、前記自局の移動検知を、外部通信網内に配置されたサービス提供サーバと通信を行うサービス管理サーバへ通知するものである。
【００１２】
本発明の第５の態様にかかるプログラムは、通信エリアを形成する基地局から、前記通信エリア内に在圏する全ての移動局に対して定期的に送信される情報に含まれる第１のエリア情報を受信した後に、前記第１のエリア情報と異なる第２のエリア情報を受信した際に、自局が移動したことを検知するステップと、記自局の移動検知を、外部通信網内に配置されたサービス提供サーバと通信を行うサービス管理サーバへ通知するステップと、をコンピュータに実行させるものである。
【発明の効果】
【００１３】
本発明により、ＧＰＳ装置を使用せずさらに基地局と接続されていない状態において携帯電話端末の位置を管理することができる位置情報管理システム、移動局、サービス管理サーバ、移動検知方法及びプログラムを提供することができる。
【図面の簡単な説明】
【００１４】
【図１】実施の形態１にかかる位置情報管理システムの構成図である。
【図２】実施の形態１にかかる３ＧＰＰネットワークの構成図である。
【図３】実施の形態１にかかるＳＣＳの構成図である。
【図４】実施の形態１にかかるＵＥの構成図である。
【図５】実施の形態１にかかる移動検知処理の流れを説明する図である。
【図６】実施の形態１にかかるＵＥにおける移動検知処理の流れを説明する図である。
【図７】実施の形態２にかかる移動検知処理の流れを説明する図である。
【図８】実施の形態３にかかるＵＥの位置情報取得処理の流れを説明する図である。
【発明を実施するための形態】
【００１５】
（実施の形態１）
以下、図面を参照して本発明の実施の形態について説明する。図１を用いて本発明の実施の形態１にかかる位置情報管理システムの構成例について説明する。位置情報管理システムは、移動通信網１００内に配置されている装置及び外部通信網２００に配置されている装置を有する。移動通信網１００は、基地局１０、基地局１１及びサービス管理サーバ４０を有する。さらに、移動通信網１００には、移動局３０が在圏している。外部通信網２００は、サービス提供サーバ５０を有する。
【００１６】
外部通信網２００は、移動通信網１００とは異なるネットワークであり、例えば固定通信網もしくはインターネットプロバイダが管理するネットワーク等であってもよい。
【００１７】
サービス提供サーバ５０は、移動通信網１００内の各装置が保持している情報等もしくは複数の情報を用いて分析された分析情報等を用いて、サービスを提供するサーバ装置である。例えば、サービス管理サーバ４０は、移動通信網１００内に在圏する移動局３０の移動を検知し、移動局３０の移動検知結果に基づいた分析情報を提供するサービスを行う。本図においては、サービス提供サーバ５０は一台のサーバ装置として示しているが、複数のサーバ装置を用いてサービス提供サーバ群を構成してもよい。
【００１８】
移動局３０は、無線を介して通信を行うことが可能な通信装置である。例えば、移動局３０は、携帯電話端末、スマートフォン端末、タブレット端末もしくはパーソナルコンピュータ等であってもよい。または、移動局３０は、通信モジュールを搭載した車、自動販売機もしくは運送業者が集荷する荷物等であってもよい。または、移動局３０は、通信モジュールが付加された動物であってもよい。つまり、移動局３０は、基地局１０もしくは基地局１１と通信を行うことを可能とする通信モジュールが搭載もしくは付加されたものであれば、その種類は制限されない。
【００１９】
サービス管理サーバ４０は、サービス提供サーバ５０から、移動局３０の移動を検知する移動検知依頼を受信する。さらに、移動局３０が現在位置から移動したことを検知した場合、検知結果をサービス提供サーバ５０へ送信する。
【００２０】
続いて、移動局３０の移動を検知する方法について以下に説明する。
【００２１】
移動局３０は、基地局１０が形成するセル２０内に在圏している場合、基地局１０から定期的に送信される情報を受信する。基地局１０から定期的に送信される情報には、基地局１０と対応付けられたエリア情報が含まれる。例えば、エリア情報は、基地局１０が形成するセル２０を識別するセルＩＤであってもよい。もしくは、エリア情報は、移動局３０に着信があった場合に、移動局３０を呼び出すためにページング信号が送信されるエリアであるトラッキングエリア（ＴＡ）を識別するＴＡＩＤであってもよい。
【００２２】
ここで、移動局３０が基地局１１によって形成されるセル２１内へ移動した場合、移動局３０は、基地局１１から定期的に送信される情報を受信する。基地局１１は、基地局１０と同様にエリア情報を含む情報を定期的に送信する。ここで、エリア情報がセルＩＤである場合、移動局３０は、セル２１内へ移動したことにより、基地局１１からセル２１を示すセルＩＤを受信する。これより、移動局３０は、セル２１へ移動する前と異なるエリア情報を受信する。このようにして移動局３０は、今までとは異なるエリア情報を受信した場合、自装置が移動したことを検知する。また、エリア情報がＴＡＩＤであって、基地局１０及び基地局１１が異なるＴＡに属する場合には、移動局３０は、基地局１０及び基地局１１からそれぞれ異なるエリア情報を受信する。移動局３０は、自装置が移動したことを検知すると、移動を検知したことをサービス管理サーバ４０へ通知する。
【００２３】
基地局１０から定期的に送信される情報は、セル２０内に在圏する全ての移動局に送信される情報であり、あて先は特に指定されない。また、基地局１０から定期的に送信される情報は、基地局１０からセル２０内のすべての移動局に対して一方的に配信される情報であるため移動局３０が基地局１０に接続されていない状態においても移動局３０はその情報を受信することができる。移動局３０が基地局１０に接続されている状態とは、基地局１０が移動局３０を宛先としてデータを送信するために、基地局１０内に移動局３０用の通信リソースが割り当てられている状態である。つまり、移動局３０は、基地局１０に接続されていない状態であっても、基地局１０から一方的に配信されるエリア情報を受信することができる。
【００２４】
基地局１１も同様に、セル２１内に在圏する全ての移動局に対してエリア情報を含む情報を一方的に配信する。これにより、移動局３０は、基地局１０及び基地局１１から送信されるエリア情報を確認することにより、どのエリアに在圏しているかを認識することができる。そのため、移動局３０は、異なるエリアへ移動したことについても検知することができる。
【００２５】
例えば、サービス提供サーバ５０は、移動局３０の移動情報を用いることにより、次のようなサービスを提供することができる。
【００２６】
移動局３０が、運送業者が集荷する荷物等であった場合に、運送業者は、その荷物を翌朝に配達されるまで所定の時間一か所にとどめて管理する。また、運送業者は、荷物に通信モジュールを付加して管理する。このような場合、所定の時間内に移動局３０である荷物が他の位置に移動した場合、サービス提供サーバ５０は、その荷物が盗難されたと推定することができる。そのため、サービス提供サーバ５０は、荷物が他の位置に移動したことを検知した場合、サービス提供サーバ５０から運送業者に対して荷物が盗難された恐れがあることを通知することができる。このようなサービスは一例であり、移動局３０の移動情報は、その他のサービスに用いられてもよい。
【００２７】
以上説明したように、図１における移動局３０は、ＧＰＳ装置を用いることなく自装置の移動を検知することができる。そのため、移動局３０は、ＧＰＳ機能が搭載される装置と比較してコストを低下させることが可能となり、さらに、装置の小型化を図ることができる。
【００２８】
また、移動局３０は、通信を待ち受けている状態等であって、基地局に接続されていない状態であっても基地局から送信されるエリア情報を監視することにより、移動局３０は、基地局に接続されていない状態であっても自装置の移動を検知することができる。そのため、位置情報を管理するために常に基地局に接続する必要のある端末装置と比較して、基地局と通信する回数を減少させることができるため、バッテリーの消費を抑えることができる。
【００２９】
続いて、図２を用いて本発明の位置情報管理システムを実現するネットワーク構成について説明する。図２のネットワークは、ＵＥ（User Equipment）３５、ｅＮＢ（evolved NodeB）１５、ＭＭＥ６０、ＭＴＣ−ＩＷＦ６５、ＳＣＳ４５及びＡＳ（Application Server）５５を有している。ｅＮＢ１５、ＭＭＥ６０、ＭＴＣ−ＩＷＦ６５及びＳＣＳ４５は、３ＧＰＰにおいて規定されているネットワークを構成する装置である。３ＧＰＰの技術仕様書は、ｅＮＢ１５、ＭＭＥ６０、ＭＴＣ−ＩＷＦ６５及びＳＣＳ４５のそれぞれの機能を定めている。ＭＭＥ６０、ＭＴＣ−ＩＷＦ６５及びＳＣＳ４５は、コアネットワークを構成する。また、ＵＥ３５は、３ＧＰＰにおいて移動局３０を示すために用いられている装置名称である。ＡＳ５５は、移動通信事業者とは異なる事業者が管理するアプリケーションサーバであり、サービス提供サーバ５０に対応する。
【００３０】
ｅＮＢ１５は、ＬＴＥ（Long Term Evolution）を用いた無線方式にて動作する基地局である。ＳＣＳ４５は、ＡＳ５５と通信を行い、サービス管理サーバ４０に対応する。ＭＭＥ６０は、主にＵＥ３５の移動管理を行う。ＭＴＣ−ＩＷＦ６５は、ｅＮＢ１５及びコアネットワークを構成する装置と、ＳＣＳ４５との間の通信を中継するために用いられる。
【００３１】
続いて、図３を用いて本発明の実施の形態１にかかるＳＣＳ４５の構成例について説明する。ＳＣＳ４５は、ＡＳ通信部１４１、制御部１４２、ＭＴＣ−ＩＷＦ通信部１４３及び端末ＩＤデータベース（端末ＩＤ ＤＢ）１４４を有する。
【００３２】
ＡＳ通信部１４１は、ＡＳ５５と通信を行う。ＡＳ通信部１４１は、ＡＳ５５から移動検知依頼に関するメッセージを受信する。移動検知依頼には、移動検知を希望するＵＥ３５が指定されている。ＡＳ通信部１４１は、移動検知依頼において指定されたＵＥ３５の移動を検知した場合、その検知結果をＡＳ５５へ通知する。
【００３３】
端末ＩＤ ＤＢ１４４は、ＡＳ５５から指定されるＵＥ３５と、移動通信網１００内において用いられるＵＥ３５の識別子とを関連付けて管理している。例えば、ＡＳ５５は、電話番号を用いてＵＥ３５を指定し、移動通信網１００内の各装置は、機体番号を用いてＵＥ３５を識別してもよい。もしくは、移動通信網１００内の各装置は、機体番号の代わりにＩＭＳＩ（International Mobile Subscriber Identity）等を用いてもよく、移動通信網１００内において一意に定まる識別子を用いてＵＥ３５を識別してもよい。上記の例においては、端末ＩＤ ＤＢ１４４は、複数の電話番号と機体番号もしくはＩＭＳＩ等とを関連づけて管理している。
【００３４】
制御部１４２は、ＡＳ通信部１４１を介して移動検知依頼を受信する。制御部１４２は、移動検知依頼に指定されているＵＥ３５の移動通信網１００内において用いられる識別子を特定する。制御部１４２は、端末ＩＤ ＤＢ１４４から、移動検知依頼に含まれていたＵＥ３５の識別子と対応づけて管理されている移動通信網１００内において用いられるＵＥ３５の識別子を抽出する。制御部１４２は、抽出したＵＥ３５の移動通信網１００内において用いられる識別子を、ＭＴＣ−ＩＷＦ通信部１４３を介してＭＴＣ−ＩＷＦ６５へ送信する。
【００３５】
ＭＴＣ−ＩＷＦ通信部１４３は、ＭＴＣ−ＩＷＦ６５と通信を行う。ＭＴＣ−ＩＷＦ通信部１４３は、制御部１４２において抽出されたＵＥ３５の識別子をＭＴＣ−ＩＷＦ６５へ送信する。また、ＭＴＣ−ＩＷＦ通信部１４３は、ＭＴＣ−ＩＷＦ６５から送信されたＵＥ３５の移動検知通知を受信し、その移動検知通知を制御部１４２へ出力する。制御部１４２は、移動検知通知をＡＳ通信部１４１を介してＡＳ５５へ送信する。
【００３６】
続いて、図４を用いて本発明の実施の形態１にかかるＵＥ３５の構成例について説明する。ＵＥ３５は、無線通信部１３１、エリア情報監視部１３２及び監視タイミング制御部１３３を備えている。無線通信部１３１は、ｅＮＢ１５と無線回線を介して通信を行う。無線通信部１３１は、ｅＮＢ１５から定期的に送信される情報として、例えば報知情報を受信する。報知情報は、ｅＮＢ１５から、ｅＮＢ１５が形成するセルに在圏する全てのＵＥ３５に対して送信される情報である。さらに、報知情報は、ＵＥ３５等の通信端末が通信を開始するために必要となる情報を含む。
【００３７】
報知情報には、複数のＳＩＢ（System Information Block）が含まれている。さらに、複数のＳＩＢのうちＳＩＢ１において、エリア情報としてｅＮＢ１５のＣｅｌｌ ＩＤ（セルＩＤ）及びＴＡＩＤが設定されている。Ｃｅｌｌ ＩＤは、ｅＮＢが形成するセル毎に異なるＩＤである。そのため、異なるｅＮＢから送信されるＣｅｌｌ ＩＤは、それぞれ異なる。ＴＡＩＤは、ＵＥ３５の位置登録エリアを示すＩＤである。一般的に、ＴＡは、複数のＣｅｌｌから構成されている。そのため、異なるｅＮＢは、それぞれ同じＴＡＩＤを送信する場合もある。ＵＥ３５は、異なるＴＡに移動した場合に、位置登録処理を実行する。また、ＵＥ３５に着信を行う場合、ＴＡＩＤ単位にＵＥの呼び出しを行う。つまり、ＭＭＥ６０は、複数のｅＮＢを介して同一のＴＡに在圏する全てのＵＥに対してページング信号を送信する。
【００３８】
また、無線通信部１３１は、ＳＣＳ４５から送信される移動検知依頼をｅＮＢ１５を介して受信する。
【００３９】
エリア情報監視部１３２は、ＳＩＢ１に設定されているエリア情報を監視する。エリア情報監視部１３２は、移動検知依頼を受信した後に、エリア情報を監視する。ここで、エリア情報監視部１３２は、同じエリア情報を受信し続けている場合、ＵＥ３５は移動していないと判定する。また、エリア情報監視部１３２は、前回受信したエリア情報と新たに受信したエリア情報とが異なる場合、ＵＥ３５が移動したということを検知する。つまり、エリア情報監視部１３２は、受信したＣｅｌｌ ＩＤもしくはＴＡＩＤが変化した場合に、ＵＥ３５が移動したことを検知する。エリア情報監視部１３２は、受信したエリア情報が変化した場合、無線通信部１３１を介してｅＮＢへ移動検知通知を示すメッセージを送信する。移動検知通知は、ＳＣＳ４５へ送信され、さらにＳＣＳ４５から、ＡＳ５５へ送信される。
【００４０】
監視タイミング制御部１３３は、エリア情報監視部１３２がエリア情報を監視するタイミングを制御する。つまり、監視タイミング制御部１３３は、エリア情報監視部１３２がエリア情報を監視する間隔を制御する。
【００４１】
また、ＵＥ３５は、報知情報を受信するタイミングのみ活性化状態となり、その他のタイミングにおいては非活性化状態となる。活性化状態とは、例えば、ＵＥ３５を構成する各機能部が起動している状態である。つまり、監視タイミング制御部１３３は、無線通信部１３１及びエリア情報監視部１３２を起動させるタイミングを制御することによって無線通信部１３１が報知情報を受信するタイミングを制御し、所定のタイミングにエリア情報を受信してもよい。
【００４２】
エリア情報を監視するタイミングは、ＳＣＳ４５から送信される移動検知依頼に含まれていてもよい。この場合、監視タイミング制御部１３３は、無線通信部１３１を介して移動検知依頼を受信し、エリア情報を監視するタイミングに関する情報を抽出してもよい。監視タイミング制御部１３３は、エリア情報を監視するタイミングのみエリア情報監視部１３２を起動し、その他のタイミングはエリア情報監視部１３２を停止してもよい。
【００４３】
続いて、図５を用いて本発明の実施の形態１にかかる移動検知処理の流れについて説明する。はじめに、ＡＳ５５は、ＳＣＳ４５へ移動検知依頼を送信する（Ｓ１１）。ＡＳ５５からＳＣＳ４５へ送信される移動検知依頼には、移動検知を希望するＵＥに関する情報及び検知ポリシーが含まれている。検知ポリシーは、例えば、ＵＥを監視する間隔もしくはＵＥを監視する時間もしくは期間等を示す情報である。
【００４４】
次に、ＳＣＳ４５は、ＵＥ３５へ移動検知依頼を送信する（Ｓ１２）。例えば、ＳＣＳ４５は、ＯＭＡ−ＤＭ等のアプリケーションデータとして移動検知依頼を送信する。移動検知依頼の送信にＯＭＡ−ＤＭ等のアプリケーションデータが用いられる場合、ＳＣＳ４５とＵＥ３５との間の中継装置において移動検知依頼は終端されない。つまり、移動検知依頼の送信にＯＭＡ−ＤＭ等のアプリケーションデータが用いられる場合、ＡＳ５５は、ＳＣＳ４５とＵＥ３５との間の中継装置を透過してＵＥ３５へ移動検知依頼を送信する。移動検知依頼には、検知ポリシーが含まれている。
【００４５】
次に、ＵＥ３５は、ＳＣＳ４５から移動検知依頼を受信すると、移動検知処理を実行する（Ｓ１３）。移動検知処理の流れについては、後に詳述する。ＵＥ３５は、ＳＣＳ４５から指定された監視時間内に移動を検知した場合、ＳＣＳ４５へ移動検知通知を送信する（Ｓ１４）。例えばＵＥ３５は、移動検知依頼と同様にＯＭＡ−ＤＭ等のアプリケーションデータとして移動検知通知を送信する。移動検知通知には、移動後の現在位置に関する情報が含まれている。
【００４６】
次に、ＳＣＳ４５は、ＡＳ５５へ移動検知通知を送信する（Ｓ１５）。ＳＣＳ４５がＡＳ５５へ送信する移動検知通知には、移動を検知したＵＥの情報及び当該ＵＥの現在位置に関する情報が含まれる。このようにして、ＡＳ５５は、移動検知依頼において指定したＵＥが、所定時間内に移動したか否かを検知することができる。
【００４７】
続いて、図６を用いて本発明の実施の形態１にかかるＵＥ３５における移動検知処理の流れについて説明する。はじめに、エリア情報監視部１３２は、ＳＣＳ４５から移動検知依頼を受信する（Ｓ２１）。次に、エリア情報監視部１３２は、近隣のｅＮＢから報知情報に含まれるエリア情報を受信する（Ｓ２２）。エリア情報監視部１３２は、移動検知依頼に監視タイミングが指定されている場合、指定された監視タイミングにエリア情報を受信するようにしてもよい。ここで、エリア情報監視部１３２は、以前に受信したエリア情報を保持しているか否かを判定する（Ｓ２３）。エリア情報監視部１３２は、以前に受信したエリア情報を保持していないと判定した場合、ステップＳ２２の処理を繰り返す。エリア情報監視部１３２は、以前に受信したエリア情報を保持していると判定した場合、今回受信したエリア情報と以前に受信したエリア情報とが一致するか否かを判定する（Ｓ２４）。
【００４８】
エリア情報監視部１３２は、今回受信したエリア情報と以前に受信したエリア情報とが一致すると判定した場合、ＵＥ３５が移動していないと判定しステップＳ２２の処理を繰り返す。エリア情報監視部１３２は、今回受信したエリア情報と以前に受信したエリア情報とが一致していないと判定した場合ＵＥ３５が移動したと判定しＳＣＳ４５へ移動検知通知を送信する（Ｓ２５）。
【００４９】
ここで、ステップＳ２１において受信した移動検知依頼にＵＥの監視時間が設定されている場合には、次のような処理を実行してもよい。ステップＳ２４において、今回受信したエリア情報と以前に受信したエリア情報とが一致すると判定した場合、エリア情報監視部１３２は、さらに移動検知依頼において設定された監視時間を経過しているか否かを判定してもよい。エリア情報監視部１３２は、移動検知依頼において設定された監視時間を経過していると判定した場合、ステップＳ２２の処理を繰り返さずに処理を終了してもよい。エリア情報監視部１３２は、移動検知依頼において設定された監視時間を経過していないと判定した場合、ステップＳ２２の処理を繰り返してもよい。
【００５０】
また、移動検知依頼にＵＥの監視時間が設定されない場合、ＳＣＳ４５は、移動検知を停止するタイミングに移動検知を停止する旨のメッセージをＵＥ３５へ送信してもよい。ＵＥ３５は、移動検知を停止する旨のメッセージを受信した場合、図６に示す移動検知処理の実行を停止する。
【００５１】
以上説明したように、本発明の実施の形態１にかかる位置情報管理システムを用いることにより、ＵＥは、ＧＰＳを用いることなく、さらに、常にｅＮＢへ接続することなく自装置の移動を検知することができる。また、ＳＣＳ４５からＵＥ３５へ検知ポリシーを設定することにより、ＵＥの移動検知を継続する時間、もしくは、ＵＥが移動検知処理を実行する間隔を変更することができる。
【００５２】
例えば、ＵＥが移動検知処理を実行する間隔を長くした場合、ＵＥは、報知情報に含まれるエリア情報が、以前に受信したエリア情報と一致するか否かを判定する処理を実行する回数を減少させることができる。これにより、ＵＥの消費電力を低下させることができる。
【００５３】
（実施の形態２）
続いて、図７を用いて本発明の実施の形態２にかかる移動検知処理の流れについて説明する。はじめに、ＡＳ５５は、ＳＣＳ４５へ移動検知依頼を送信する（Ｓ３１）。ＡＳ５５からＳＣＳ４５へ送信される移動検知依頼には、移動検知を希望するＵＥに関する情報及び検知ポリシーが含まれている。検知ポリシーは、例えば、ＵＥを監視する間隔もしくはＵＥを監視する時間等を示す情報である。
【００５４】
次に、ＳＣＳ４５は、ＭＴＣ−ＩＷＦ６５へ移動検知依頼を送信する（Ｓ３２）。ＳＣＳ４５は、ＭＴＣ−ＩＷＦ６５との間に定められているインタフェースを用いて移動検知依頼を送信する。ＳＣＳ４５とＭＴＣ−ＩＷＦ６５との間のインタフェースは、例えば３ＧＰＰにおいて定められているＴｓｐインタフェースを用いてもよい。ＳＣＳ４５は、移動検知依頼を制御データとして送信する。以下の説明についても同様に、ＭＴＣ−ＩＷＦ６５、ＭＭＥ６０等は、移動検知依頼を制御データとして用いる。ＳＣＳ４５からＭＴＣ−ＩＷＦ６５へ送信される移動検知依頼には、ＵＥの識別子と、検知ポリシーとが含まれている。ＵＥの識別子は、ＡＳ５５によって指定されたＵＥに対応付けられ移動通信網１００内において用いられる識別子である。
【００５５】
次に、ＭＴＣ−ＩＷＦ６５は、移動検知依頼を送信すべきＭＭＥ６０を特定し、特定したＭＭＥ６０へ移動検知依頼を送信する（Ｓ３３）。ＭＴＣ−ＩＷＦ６５は、ＳＣＳ４５から送信された移動検知依頼において指定されたＵＥを管理するＭＭＥ６０を送信すべきＭＭＥ６０として特定する。ＭＴＣ−ＩＷＦ６５は、ＭＭＥ６０との間に定められているインタフェースを用いて移動検知依頼を送信する。ＭＴＣ−ＩＷＦ６５とＭＭＥ６０との間のインタフェースは、例えば３ＧＰＰにおいて定められているＴ５インタフェースを用いてもよい。ＭＴＣ−ＩＷＦ６５からＭＭＥ６０へ送信される移動検知依頼には、移動通信網１００内において用いられるＵＥの識別子と、検知ポリシーとが含まれている。
【００５６】
次に、ＭＭＥ６０は、指定されたＵＥ３５へ移動検知依頼を送信する（Ｓ３４）。ＭＭＥ６０は、ＭＭＥ６０とＵＥ３５との間に定められているインタフェースを用いて移動検知依頼を送信する。例えば、ＭＭＥ６０は、３ＧＰＰにおいて定められているＮＡＳ（Non-Access Stratum）プロトコルを用いて移動検知依頼を送信する。移動検知依頼には、検知ポリシーが含まれている。
【００５７】
次に、ＵＥ３５は、移動検知依頼を受信すると、検知ポリシーに基づいて移動検知処理を実行する（Ｓ３５）。例えば、エリア情報監視部１３２は、検知ポリシーにおいて設定された監視タイミング毎に移動検知処理を実行してもよい。ＵＥ３５は、移動検知処理において移動を検知した場合、ＮＡＳプロトコルを用いてＭＭＥ６０へ移動検知通知を送信する（Ｓ３６）。
【００５８】
次に、ＭＭＥ６０は、ステップＳ３３と同様のルートを用いてＭＴＣ−ＩＷＦ６５へ移動検知通知を送信する（Ｓ３７）。次に、ＭＴＣ−ＩＷＦ６５は、ステップＳ３２と同様のルートを用いてＳＣＳ４５へ移動検知通知を送信する（Ｓ３８）。次に、ＳＣＳ４５は、ステップＳ３１と同様のルートを用いてＡＳ５５へ移動検知通知を送信する（Ｓ３９）。
【００５９】
以上説明したように、本発明の実施の形態２にかかる移動検知処理の流れを用いて、ＵＥは、移動検知依頼を受け取ることにより、ＧＰＳを用いることなく、さらに、常にｅＮＢへ接続することなく自装置の移動を検知することができる。さらに、ＵＥは、移動検知通知をＡＳ５５へ通知することができる。
【００６０】
ここで、本発明の実施の形態２においては、実施の形態１とは、移動検知依頼及び移動検知通知を送信するために用いられるプロトコルが異なる。つまり、実施の形態１においては、ＡＳ５５とＵＥ３５との間において移動検知依頼及び移動検知通知をアプリケーションデータもしくはユーザデータとして送信するのに対して、実施の形態２においては、ＳＣＳ４５、ＭＴＣ−ＩＷＦ６５、ＭＭＥ６０及びＵＥ３５のそれぞれの間において制御信号を送信するために用いられるプロトコルを介してそれぞれの装置は、移動検知依頼及び移動検知通知を送受信する。これにより、実施の形態１と同様の効果を得ることができる。
【００６１】
（実施の形態３）
続いて、図８を用いて本発明の実施の形態３にかかるＵＥの位置情報取得処理の流れについて説明する。
【００６２】
はじめに、ＳＣＳ４５は、指定したＵＥが移動したことを検知もしくは認識する（Ｓ４１）。例えば、ＳＣＳ４５は、図５もしくは図７において説明したように、ＵＥ３５もしくはＭＴＣ−ＩＷＦ６５から移動検知通知を受けることによって指定したＵＥが移動したことを検知する。
【００６３】
次に、ＳＣＳ４５は、ＭＴＣ−ＩＷＦ６５へ位置情報取得要求を送信する（Ｓ４２）。ＳＣＳ４５は、移動を検知したＵＥの識別情報、位置情報を取得する間隔等を設定した位置情報取得要求をＭＴＣ−ＩＷＦ６５へ送信してもよい。
【００６４】
ＭＴＣ−ＩＷＦ６５は、位置情報取得要求を受信すると、指定されたＵＥ３５の位置情報を検出する。例えば、ＵＥ３５は、図６において説明した移動検知処理において自装置の移動を検知した場合に、自律的にｅＮＢ１５へ接続してもよい。もしくは、ＭＭＥ６０は、図５もしくは図７において説明したように、ＵＥ３５から移動検知通知を受信した場合、ｅＮＢ１５とＵＥ３５とを接続するように制御してもよい。このように、ＵＥ３５がｅＮＢ１５に接続されている場合、ＭＴＣ−ＩＷＦ６５は、ＵＥ３５が接続されているｅＮＢ１５に関する情報を設定した位置情報取得応答をＳＣＳ４５へ通知する（Ｓ４３）。ＭＴＣ−ＩＷＦ６５は、位置情報取得要求において位置情報を取得する間隔が設定されている場合、指定された間隔ごとに位置情報取得応答をＳＣＳ４５へ送信してもよい。ＳＣＳ４５は、ＵＥ３５が接続されているｅＮＢ１５を認識することにより、ＵＥ３５のおおよその位置を把握することができる。
【００６５】
また、ＵＥの移動を検知した後、当該ＵＥの位置情報を取得する場合、位置情報の取得を希望するＡＳ５５に対して、特定の課金レートを設定してもよい。ＳＣＳ４５は、例えば、位置情報の取得を希望するＡＳ５５に対して設定する課金レートを課金情報処理サーバ等へ通知してもよい。この場合、位置情報を取得する間隔、位置情報を取得するＵＥ数等によって課金レートを変更させてもよい。
【００６６】
以上説明したように、本発明の実施の形態３にかかるＵＥの位置情報取得処理の流れを用いることにより、移動を開始したＵＥ３５の位置を追跡することができる。これによりＡＳ５５は、例えば、ＵＥ３５が盗難等された場合に、ＵＥ３５の位置を追跡することができる。
【００６７】
なお、本発明は上記実施の形態に限られたものではなく、趣旨を逸脱しない範囲で適宜変更することが可能である。
【００６８】
上述の実施の形態では、ハードウェアの構成として説明したが、これに限定されるものではなく、図６における処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
以上、実施の形態を参照して本願発明を説明したが、本願発明は上記によって限定されるものではない。本願発明の構成や詳細には、発明のスコープ内で当業者が理解し得る様々な変更をすることができる。
【００７０】
この出願は、２０１２年１１月２９日に出願された日本出願特願２０１２−２６０７２０を基礎とする優先権を主張し、その開示の全てをここに取り込む。
【符号の説明】
【００７１】
１０  基地局
１１  基地局
１５  ｅＮＢ
２０  セル
２１  セル
３０  移動局
３５  ＵＥ
４０  サービス管理サーバ
４５  ＳＣＳ
５０  サービス提供サーバ
５５  ＡＳ
６０  ＭＭＥ
６５  ＭＴＣ−ＩＷＦ
１００  移動通信網
１３１  無線通信部
１３２  エリア情報監視部
１３３  監視タイミング制御部
１４１  ＡＳ通信部
１４２  制御部
１４３  ＭＴＣ−ＩＷＦ通信部
１４４  端末ＩＤ ＤＢ
２００  外部通信網
【図１】
2018061274.tif 000003
【図２】
2018061274.tif 000004
【図３】
2018061274.tif 000005
【図４】
2018061274.tif 000006
【図５】
2018061274.tif 000007
【図６】
2018061274.tif 000008
【図７】
2018061274.tif 000009
【図８】
2018061274.tif 000010
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
少なくとも１つのメモリと、
前記少なくとも１つのメモリに結合された少なくとも１つのプロセッサと、
を備える第２のコアネットワーク装置であって、
前記少なくとも１つのプロセッサは、
端末装置の移動を検知するよう構成され、
前記端末装置の位置情報の報告間隔を示す情報を第１のコアネットワーク装置から受信するよう構成され、
検知した前記端末装置の移動後の第１の位置情報を前記第１のコアネットワーク装置へ第１のタイミングで報告するよう構成され、
第２のタイミングで前記端末装置の第２の位置情報を検知するよう構成され、
前記端末装置の第２の位置情報を、前記第１のタイミングから前記報告間隔をあけて前記第１のコアネットワーク装置へ報告するよう構成された、第２のコアネットワーク装置。
【請求項２】
前記少なくとも１つのプロセッサは、
前記報告間隔を示す情報を受信した後、前記第１の位置情報の検知を開始するよう構成された、請求項１に記載の第２のコアネットワーク装置。
【請求項３】
前記少なくとも１つのプロセッサは、
ｅＮＢ（ｅＮｏｄｅＢ）から前記端末装置の位置情報を受信するよう構成され、
前記ｅＮＢから受信した前記位置情報に基づいて前記第１の位置情報を検知するよう構成され、
検知した前記第１の位置情報を、前記報告間隔をあけて報告するよう構成された、請求項１または２に記載の第２のコアネットワーク装置。
【請求項４】
前記第１の位置情報は、移動後の前記端末装置が接続するｅＮＢに関する情報である、請求項１乃至３のいずれか１項に記載の第２のコアネットワーク装置。
【請求項５】
少なくとも１つのメモリと、
前記少なくとも１つのメモリに結合された少なくとも１つのプロセッサと、
を備える第１のコアネットワーク装置であって、
前記少なくとも１つのプロセッサは、
端末装置の位置情報の報告間隔を示す情報を第２のコアネットワーク装置へ送信するよう構成され、
前記第２のコアネットワーク装置によって移動を検知された前記端末装置の移動後の第１の位置情報を第１のタイミングで受信するよう構成され、
第２のタイミングで検知された前記端末装置の第２の位置情報を、前記第１のタイミングから前記報告間隔をあけて第２のコアネットワーク装置から受信するよう構成された、第１のコアネットワーク装置。
【請求項６】
前記第１の位置情報の検知は、前記報告間隔を示す情報を送信した後で開始される、請求項５記載の第１のコアネットワーク装置。
【請求項７】
前記第１の位置情報は、前記第２のコアネットワーク装置がｅＮＢから受信した前記位置情報に基づいて検知される、請求項５または６に記載の第１のコアネットワーク装置。
【請求項８】
前記第１の位置情報は、移動後の前記端末装置が接続するｅＮＢに関する情報である、請求項５乃至７のいずれか１項に記載の第１のコアネットワーク装置。